(57)【特許請求の範囲】
【請求項１】
一般道路を輸送するのに適した可動のメインフレーム（１２）と、該メインフレームに支持されたサブフレーム（１１）と、該サブフレーム（１１）の横軸回りに回転可能に取付けられた、容器（１）を受けるための巻上げ部材（１０）と、該巻上げ部材（１０）を回転させるための駆動手段（１５）と、上記容器（１）に上記巻上げ部材（１０）を結合するために上記巻上げ部材（１０）に配置された結合手段（１３）とを備え、上記巻上げ部材（１０）は、容器（１）に適した少なくとも２．６０メートルの幅を持ち、上記容器（１）は実質上空で輸送されており、上記輸送装置（９）は、２つの上記フレーム（１２，１１）の間に供給され、上記メインフレーム（１２）に関する縦軸回りに上記サブフレーム（１１）を回転させるための回転手段（１７）を持つことを特徴とする容量が大きい容器（１）を輸送するための輸送装置（９）。
【請求項２】
上記回転手段（１７）は、上記メインフレーム（１２）の後端近傍と上記サブフレーム（１１）の中央に配置されることを特徴とする請求項１に記載の輸送装置（９）。
【請求項３】
ポンプで送り込まれ得る材料の保管に適し、巻上げ可能な材料で実質上製造されるものであって、巻上げ手段（６，７）を備え、上記容器（１）は、少なくとも２．６０メートルの幅を持つことを特徴とする請求項１又は２に記載の輸送装置（９）により輸送される容積の大きい容器（１）。
【請求項４】
上記巻上げ手段（６，７）は、少なくとも１つの帯状部材（６）からなり、該帯状部材（６）は、容器（１）を輸送装置（９）の巻上げ部材（１０）の結合手段（１３）に解放可能に固定するための接続手段（７）を備えたことを特徴とする請求項３に記載の容器。
【請求項５】
実質上矩形の袋状部であることを特徴とする請求項３又は４に記載の容器（１）。
【請求項６】
巻上げ手段（６，７）は、上記容器（１）の第１の側に配置され、出入り開口部（３）は、第１の側と反対側の第２の側に配置されることを特徴とする請求項３乃至５のいずれか１項に記載の容器（１）。
【請求項７】
圧力、安定性及び／又はレベルコントロールのための安全な装置を有することを特徴とする請求項３乃至６のいずれか１項に記載の容器（１）。
【発明の詳細な説明】
本発明は、請求項１の前文による、容積の大きい容器を輸送する装置に関する。
そのような輸送装置は、米国特許第４１６１２６３号で知られている。これらの輸送装置は、本質的に、折り畳めてゴムを引かれ、材料を輸送するトレーラーの容量以内で流ちょうな材料の輸送に使われた容器の保管と操縦のためのシステムからなる。この公知の容器は、船積み容器のライニングに用いられている。船積み容器の容積が制限されているので、この公知の容器の最大容積は、制限されている。
この公知の操縦システムは、船積み容器の容積を超える容積を持つような大容量の容器の輸送に関する問題を解決しない。
さらに続けて、仏国公開公報第１２３１３９１号には次のことが記述されている。すなわち、流動体用の大容積の容器、とりわけ一般路の許容寸法を超えた幅、一般的には２．６０メートル寸法を持つ容器の輸送は、容器を空にしてしまい、そして、複雑で多大の労働力を要する折り畳み操作を行った後に行う。
本発明は、これらの問題なしで済ませるものである。そして、本発明は、この目的のために請求項１の特徴を持った輸送装置を提供する。
そのような輸送装置は、簡単で迅速な方法で大容積の本質上空の容器の輸送を可能にする。
輸送するための容器の許容幅寸法は、サブフレームをメインフレーム回りに回転させることにより、かなり大きくなる。
回転手段、そういうものとして例えばターンテーブルは、混合肥料の拡散機において米国公報第４６３４０５６号により知られている。多くの農業の車として、回転手段は、主要道路よりも農場での広い幅を提供することが知られている。
本発明はまた、本発明による輸送装置で輸送され、実質上曲げやすい材料からなる容器に関する。そして、この容器は、実質上巻上げられ得る材料で製造され、ポンプで送り込まれ得る材料の保管に適するようにされている。そして、容器は、巻上げ装置へ結合するための巻上げ手段を有する。
本発明による容器は、好ましくは、圧力、安定化及び／又はレベル制御についての安全な装置を有する。
この容器の好ましい実施例は、特に動物の糞尿の貯蔵に向いている。そして、好ましくは、標本を取るための手段と均質化のための手段を有する。
本発明はさらに、図面の下記に続く記述に関して解明される。すなわち、図１及び図２は、輸送装置と容器の好ましい実施例の斜視図である。図３は、容器が完全に巻上げられ、サブフレームが道路輸送姿勢に回転させられた状態の斜視図である。
容器１は、可撓性のある材料で製造され、実質上袋状部（バッグ）２からなる。この実質上矩形の袋状部２には、その後側に帯状部材６が結合している。この帯状部材６は、可撓性のある帯のような結合手段７を有し、そして、閉止手段４によって閉止可能な出入り開口部３をその前側に有する。閉止手段４は、ポンプで送り込まれ得る材料の供給及び／又は排出のための導管５に接続される。
輸送装置９は、移動可能なメインフレーム１２とサブフレーム１１とで構成する。サブフレーム１１に取付けられるのは、回転のための駆動手段１５と結合され、横軸回りに回転可能な巻上げ部材１０である。そして、容器１の巻上げ手段６の結合手段７に巻上げ部材１０を接続するための接続手段１３を備える。これらの接続手段には、巻上げ部材１０の例えば開口部を利用して、単純な方法で形成され得る。そして、その開口部に、結合手段７のフックのようなものを掛ける。サブフレーム１１は、ターンテーブル１７によって、メインフレーム１２に関する縦軸回りに回転可能にすることができる。
容器１が巻上げ部材１０に完全に巻かれたとき、サブフレーム１１はメインフレーム１２に関する縦軸上を９０度まで回転される。すると、巻上げ部材１０とサブフレーム１１は、メインフレーム１２と同じ方向に伸びることとなる。これは、一般道路での輸送上の不都合（輸送禁止）なしで、容器１の幅寸法をはなはだ大きくすることができるという利点を提供する。ロッキングピン１８は、２つのフレームの平行配置を確実にする。地面８上のメインフレーム１２に対して巻上げ部材１０とサブフレーム１１を横向きに配置することにより、力の伝達が良好になるため、簡単な巻上げ動作を確実にすることができる。巻上げている間、容器１内に残る内容物がさらに排出され、取り除かれるだろう。
駆動手段１５は、ギヤホイールトランスミッション及びチェーン１４が介在して、ハンドル１６によって操作され得る。
容器１を複数の壁で仕切られることができる。ポンプで送り込まれ得る材料、とりわけ反応性のガス状材料又は糞尿をたくわえるのに適した手段を容器１に配設することができる。そのような容器１は、ポンプで送り込まれ得る材料の一時的保管のため役立てることができる。そして、容器１を、輸送装置９の近くに置くことによって短期間のうちに輸送に適した状態にすることができる。容器１には、均質化のための手段や、標本を取るための手段、脱気装置のような圧力制御設備、例えば容器に配置された支持フレーム又はクロスバンド又は補強リブの手段による安定化設備、レベルコントロール手段などを取付けることができる。
【図１】
0003869014.tif 000002
【図２】
0003869014.tif 000003
【図３】
0003869014.tif 000004